【手続補正書】
【提出日】平成17年7月21日(2005.7.21)
【手続補正１】
【補正対象書類名】明細書
【補正対象項目名】特許請求の範囲
【補正方法】変更
【補正の内容】
【特許請求の範囲】
【請求項１】
外周面に複数の図柄が描かれたドラムを複数同軸にして横方向に並べ、各ドラムを回転させ、各ドラムごとに用意された停止スイッチの押下に従って対応するドラムを停止させ、すべてのドラムが停止した際の停止態様が有効なライン上に特定の図柄の揃う当選パターンのとき、通常よりも有利な遊技状態で遊技を行うことのできる特別遊技状態に移行して遊技者に利益を付与するスロットマシンにおいて、
前記各ドラムを照明する照明手段と、
前記各ドラムを紫外線で照明する紫外線照明手段と、
前記遊技状態を前記当選パターンが出現し得るように設定された当選可能状態と前記当選パターンが出現しないように設定された当選不可能状態とに切り替え可能な遊技状態設定部と、
前記照明手段および前記紫外線照明手段の点灯消灯を切り替え制御する前記照明切替部と、
を有し、
前記複数の図柄の少なくとも１つの目押し用図柄の一部分に蛍光塗料を塗布し、
前記照明切替部は、前記遊技状態設定部によって遊技状態が前記当選パターンが出現し得るように設定された当選可能状態に設定されている間、前記照明手段を消灯あるいは薄灯させかつ前記紫外線照明手段を点灯させる切り替え制御を行い、
前記照明切替部により、紫外線照明手段が点灯した場合、前記蛍光塗料に紫外線が照射し、前記目押し用図柄の一部分が他の図柄よりも遊技者側から明るく見えるようにすることを特徴とするスロットマシン。
【請求項２】
前記照明切替部は、前記遊技状態設定部が遊技状態を前記当選不可状態から前記当選可能状態に切り替えた場合に、前記照明手段を消灯あるいは薄灯させかつ前記紫外線照明手段を点灯させる切り替え制御を行うことを特徴とする請求項１記載のスロットマシン。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
【課題を解決するための手段】
かかる目的を達成するための本発明の要旨とするところは、次の各項の発明に存する。
［１］外周面に複数の図柄が描かれたドラム（３０ａ〜３０ｃ）を複数同軸にして横方向に並べ、各ドラム（３０ａ〜３０ｃ）を回転させ、各ドラム（３０ａ〜３０ｃ）ごとに用意された停止スイッチ（１２ａ〜１２ｃ）の押下に従って対応するドラム（３０ａ〜３０ｃ）を停止させ、すべてのドラム（３０ａ〜３０ｃ）が停止した際の停止態様が有効なライン上に特定の図柄の揃う当選パターンのとき、通常よりも有利な遊技状態で遊技を行うことのできる特別遊技状態に移行して遊技者に利益を付与するスロットマシンにおいて、
前記各ドラム（３０ａ〜３０ｃ）を照明する照明手段（６１）と、
前記各ドラム（３０ａ〜３０ｃ）を紫外線で照明する紫外線照明手段と（６２）、
前記遊技状態を前記当選パターンが出現し得るように設定された当選可能状態と前記当選パターンが出現しないように設定された当選不可能状態とに切り替え可能な遊技状態設定部（４３）と、
前記照明手段（６１）および前記紫外線照明手段（６２）の点灯消灯を切り替え制御する前記照明切替部（５３）と、
を有し、
前記複数の図柄の少なくとも１つの目押し用図柄の一部分に蛍光塗料を塗布し、
前記照明切替部（５３）は、前記遊技状態設定部（４３）によって遊技状態が前記当選パターンが出現し得るように設定された当選可能状態に設定されている間、前記照明手段（６１）を消灯あるいは薄灯させかつ前記紫外線照明手段（６２）を点灯させる切り替え制御を行い、
前記照明切替部（５３）により、紫外線照明手段（６２）が点灯した場合、前記蛍光塗料に紫外線が照射し、前記目押し用図柄の一部分が他の図柄よりも遊技者側から明るく見えるようにすることを特徴とするスロットマシン。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
前記照明切替部（５３）は、前記遊技状態設定部（４３）が遊技状態を前記当選不可状態から前記当選可能状態に切り替えた場合に、前記照明手段（６１）を消灯あるいは薄灯させかつ前記紫外線照明手段（６２）を点灯させる切り替え制御を行うことを特徴とする［１］記載のスロットマシン。
【手続補正１１】
【補正対象書類名】明細書
【補正対象項目名】００２０
【補正方法】変更
【補正の内容】
【００２０】
前記本発明は次のように作用する。
本発明の一の構成によれば、ドラム（３０ａ〜３０ｃ）の外周面に描かれた複数の図柄の中の少なくとも一つの目押し用図柄の一部分（３５）に蛍光塗料を塗布し、前記照明切替部（５３）は、遊技状態設定部（４３）によって遊技状態が前記当選パターンが出現し得るように設定されている間、照明手段（６１）を消灯あるいは薄灯させかつ紫外線照明手段（６２）を点灯させるので、当選可能状態の間、ドラム（３０ａ〜３０ｃ）の外周面に描かれた複数の図柄の中の少なくとも一つの目押し用図柄の一部分（３５）を他の図柄よりも遊技者側から明るく見えるようにしたものである。
【手続補正１２】
【補正対象書類名】明細書
【補正対象項目名】００２１
【補正方法】変更
【補正の内容】
【００２１】
また、遊技状態設定部（４３）が、当選パターンが出現しないように設定された当選不可状態から、少なくとも当選パターンが出現し得るように設定された当選可能状態に遊技状態を切り替えた場合に、遊技者は目押し用図柄を狙って、目押しを開始しようとする。このとき、遊技者側から目押し用図柄の一部分（３５）だけが他の部分よりも明るく見えるようにする。すなわち、目押し用図柄の一部分（３５）だけに蛍光塗料を塗布し、当選可能状態になったとき、前記照明切替部（５３）が照明手段（６１）を消灯あるいは薄灯させかつ紫外線照明手段（６２）を点灯する。これにより、目押し用図柄の一部分（３５）だけが明るく見えて容易に識別可能になる。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００５０
【補正方法】変更
【補正の内容】
【００５０】
さらに、実施の形態では第２照明手段６２を点灯する際には、第１照明手段６１を消灯するように構成したが、第１照明手段６１を薄灯させておいてもよい。
【手続補正１８】
【補正対象書類名】明細書
【補正対象項目名】００５１
【補正方法】変更
【補正の内容】
【００５１】
【発明の効果】
以上説明したように、本発明によれば、ドラムの外周面に描かれた複数の図柄の中の少なくとも一つの目押し用図柄の一部分に蛍光塗料を塗布し、遊技状態が当選パターンが出現し得るように設定されている間、照明手段を消灯あるいは薄灯させかつ紫外線照明手段を点灯させることで、目押し用図柄の一部分が光るので、これを目安に停止スイッチを押下すれば、容易に目押しを行うことができ、メダルや時間を無駄にせず、初心者でもゲームを十分に楽しむことができる。
また、遊技状態が、当選パターンが出現し得るよう設定された当選可能状態に切り替わった場合に、照明手段を消灯あるいは薄灯させかつ紫外線照明手段を点灯することで目押し用図柄の一部分が光るので、これを目安に停止スイッチを押下すれば、容易に目押しを行うことができ、メダルや時間を無駄にせず、初心者でもゲームを十分に楽しむことができる。